(57)【要約】【課題】送信対象の画像に対する編集・加工の指示操作の手間を低減する。【解決手段】情報機器は、ユーザーによって指定された原画像に対して複数の種類の編集・加工を行なうことができる。ユーザーによる操作に従って作成した編集画像を送信したときに、送信先と当該編集画像の作成に際して行なった編集・加工の種類とを対応づけて記録する。記録された送信先への新たな送信が指示されたときに、今回の送信において指定された原画像Ｇ１６に対して、当該送信先に対応づけて記録されている種類の編集・加工を自動的に行なう。作成した自動編集画像Ｇ２６ａ，Ｇ２６ｂ，Ｇ２６ｃをプレビュー表示し、送信を指示するユーザーによる操作に従って、自動編集画像を送信先へ送信する。【選択図】図１５
2015026944.tif 000002
【特許請求の範囲】
【請求項１】
画像を送信する情報機器であって、
ユーザーによる操作を受け付ける操作入力部と、
指定された原画像に対して複数の種類の編集・加工を行なうことが可能な画像編集部と、
前記ユーザーによる操作に従って前記画像編集部によって作成された編集画像が送信されたときに、送信先と当該編集画像の作成に際して行なわれた編集・加工の種類とを対応づけて記録する記録部と、
前記記録部によって記録された前記送信先への新たな送信が指示されたときに、今回の送信において指定された原画像に対して、当該送信先に対応づけて記録されている種類の編集・加工を行なわせる指示を前記画像編集部に与える自動編集指示部と、
前記自動編集指示部による前記指示に従って前記画像編集部によって作成された自動編集画像を前記送信先へ送信させる出力制御部と、を備える
ことを特徴とする情報機器。
【請求項２】
前記画像編集部によって作成された前記自動編集画像をプレビュー表示する表示部を備え、
前記出力制御部は、プレビュー表示された前記自動編集画像の送信を指示する前記ユーザーによる操作に従って、当該自動編集画像を前記送信先へ送信させる
請求項１記載の情報機器。
【請求項３】
前記自動編集指示部は、前記送信先に対応づけて複数の種類が記憶されている場合に、当該複数の種類のうちの１つ以上の種類の編集・加工を行なう互いに異なる複数の自動編集画像を、前記画像編集部に作成させ、
前記出力制御部は、前記複数の自動編集画像のうちの前記ユーザーによって選択された自動編集画像を前記送信先へ送信させる
請求項１または２記載の情報機器。
【請求項４】
前記画像編集部は、前記原画像のうちの編集・加工の対象領域から文字列を抽出する機能を有し、
前記記録部は、前記画像編集部によって抽出された前記文字列を、前記編集・加工の種類とともに前記送信先に対応づけて記録し、
前記自動編集指示部は、前記今回の送信において指定された原画像のうちの前記文字列を含む領域に対して当該文字列に対応付けて記録されている種類の編集・加工を行なうように、前記画像編集部に指示を与える
請求項１ないし３のいずれかに記載の情報機器。
【請求項５】
前記文字列は、前記対象領域内の文字情報のうちの見出しに該当する文字列である
請求項４記載の情報機器。
【請求項６】
前記複数の種類の編集・加工のうちのひとつは、写真領域または文字領域を選択的に不可視化する画像処理である
請求項１ないし５のいずれかに記載の情報機器。
【請求項７】
前記複数の種類の編集・加工のうちのひとつは、前記原画像のうちの前記ユーザーが指定した任意の領域に線を追加する画像処理である
請求項１ないし６のいずれかに記載の情報機器。
【請求項８】
追加される前記線は、前記任意の領域を囲む枠線または背景色と異なる色のマーカー線である
請求項７記載の情報機器。
【請求項９】
原稿シートからの読取りによって得られたスキャン画像を前記原画像として前記画像編集部に入力させる入力制御部を備える
請求項１ないし８のいずれかに記載の情報機器。
【請求項１０】
前記入力制御部は、前記ユーザーによる操作に従って、前記スキャン画像またはストラージに保存されているドキュメントのページ画像を前記原画像として前記画像編集部に入力させる
請求項９記載の情報機器。
【請求項１１】
画像を送信する情報機器において実行されるコンピュータープログラムであって、
前記情報機器が有するコンピューターに、
ユーザーによる操作を受け付ける操作入力処理と、
指定された原画像に対して複数の種類の編集・加工のうちの少なくともひとつを行なう画像編集処理と、
前記ユーザーによる操作に従って前記画像編集処理によって作成された編集画像が送信されたときに、送信先と当該編集画像の作成に際して行なわれた編集・加工の種類とを対応づけて記録する記録処理と、
前記記録処理によって記録された前記送信先への新たな送信が指示されたときに、今回の送信において指定された原画像に対して、当該送信先に対応づけて記録されている種類の編集・加工を行なわせる自動編集指示処理と、
前記自動編集指示処理による指示に従って前記画像編集処理によって作成された自動編集画像を前記送信先へ送信させる出力制御処理と、を実行させる
ことを特徴とするコンピュータープログラム。
【発明の詳細な説明】
【技術分野】
【０００１】
本発明は、画像データを送信する技術に関する。
【背景技術】
【０００２】
ＭＦＰ（Multi-functional Peripheral）は、コピー機、プリンター、ネットワークスキャナー、ファクシミリ機、ドキュメントサーバーなどとして使用される複合型の情報機器である。ＭＦＰは、イメージスキャナーによって原稿シートから読み取ったスキャン画像を、パーソナルコンピューターやサーバーへ転送したり、ファクシミリデータに変換して送信したり、電子メールに添付して送信したりすることができる。
【０００３】
画像の送信においてユーザーによる操作に応じた画像編集を行なう情報機器がある。特許文献１に記載されたデジタル複合機は、ファクシミリ送信に際して、元の画像にヘッダーまたはフッターとして日付や電話番号といった文字列を付加した画像をプレビュー表示する。そして、このデジタル複合機は、プレビュー表示画面におけるユーザーによる操作に従って、付加した文字列の位置やフォントを変更する。
【０００４】
一方、原稿シートから読み取ったスキャン画像から文字情報を抽出する技術がある。特許文献２では、スキャン画像データから原稿シートを識別する情報としてページ番号や見出し情報を抽出する画像形成装置が開示されている。特許文献３では、スキャン画像データに含まれる全ての文字をＯＣＲ（Optical Character Reader）の文字認識技術を用いて抽出するＭＦＰが記載されている。
【先行技術文献】
【特許文献】
【０００５】
【特許文献１】特開２０１０−０２１８５５号公報
【特許文献２】特開２００９−２３９５７８号公報
【特許文献３】特開２０１１−０３９５８０号公報
【発明の概要】
【発明が解決しようとする課題】
【０００６】
ファクシミリ通信のようにページ画像の送信による情報伝達において、送信者が受信者に注目してほしい箇所を枠線で囲んだり、強調したい文字列にマーカー線を付したりすることがよくある。このような場合には各種の編集・加工が可能な情報機器が有用である。編集・加工が可能な情報機器を画像の送信に使用すれば、予め枠線やマーカー線を付した原稿を例えばパーソナルコンピューターによって作成しておく必要がない。また、同じ原稿を複数の送信先に送信する場合に、送信先ごとに編集・加工の内容を変えることも容易である。
【０００７】
しかし、画像を送信する情報機器において編集・加工をした場合には、ユーザーは以前と同じように編集・加工して送信したいときに、改めて以前と同じように編集・加工の内容を指定する操作をしなければならなかった。
【０００８】
本発明は、このような事情に鑑み、送信対象の画像に対する編集・加工の指示操作の手間を低減することを目的としている。
【課題を解決するための手段】
【０００９】
上記目的を達成する装置は、画像を送信する情報機器であって、ユーザーによる操作を受け付ける操作入力部と、指定された原画像に対して複数の種類の編集・加工を行なうことが可能な画像編集部と、前記ユーザーによる操作に従って前記画像編集部によって作成された編集画像が送信されたときに、送信先と当該編集画像の作成に際して行なわれた編集・加工の種類とを対応づけて記録する記録部と、前記記録部によって記録された前記送信先への新たな送信が指示されたときに、今回の送信において指定された原画像に対して、当該送信先に対応づけて記録されている種類の編集・加工を行なわせる指示を前記画像編集部に与える自動編集指示部と、前記自動編集指示部による前記指示に従って前記画像編集部によって作成された自動編集画像をプレビュー表示する表示部と、前記自動編集画像の送信を指示する前記ユーザーによる操作に従って、当該自動編集画像を前記送信先へ送信させる出力制御部と、を備える。
【発明の効果】
【００１０】
本発明によれば、送信対象の画像に対する編集・加工の指示操作の手間を低減することができる。
【図面の簡単な説明】
【００１１】
【図１】本発明の実施形態に係るＭＦＰを有したネットワーク環境を示す図である。
【図２】ＭＦＰのハードウェア構成の概略を示す図である。
【図３】ＭＦＰにおける画像の編集・加工に関わる要部の機能構成を示す図である。
【図４】送信先選択画面の例を示す図である。
【図５】原稿入力先選択画面の例を示す図である。
【図６】原稿選択画面の例を示す図である。
【図７】プレビュー画面の例を示す図である。
【図８】編集・加工の第１例を示す図である。
【図９】領域指定操作の例を示す図である。
【図１０】編集・加工の第２例を示す図である。
【図１１】編集・加工の第３例を示す図である。
【図１２】編集・加工の第４例を示す図である。
【図１３】編集記録テーブルのデータ構成を示す図である。
【図１４】自動編集・加工の第１例を示す図である。
【図１５】自動編集・加工の第２例を示す図である。
【図１６】ＭＦＰが実行する画像送信処理のフローチャートである。
【図１７】画像送信処理における指定操作の受付ルーチンのフローチャートである。
【図１８】画像送信処理における見出し抽出ルーチンのフローチャートである。
【図１９】画像送信処理における文字写真抽出ルーチンのフローチャートである。
【図２０】画像送信処理における文字列抽出ルーチンのフローチャートである。
【図２１】画像送信処理における自動編集・加工ルーチンのフローチャートである。
【図２２】画像送信処理における編集入力／編集情報登録ルーチンのフローチャートである。
【発明を実施するための形態】
【００１２】
画像データを送信する情報機器の一例としてＭＦＰを挙げる。ＭＦＰは、コピー機、プリンター、ネットワークスキャナー、ファクシミリ機、ドキュメントサーバーなどとして使用される。ＭＦＰは、ネットワークに接続され、原稿シートから読み取った画像やストレージに保存されている画像を、パーソナルコンピューターやサーバーへ転送したり、ファクシミリデータに変換して送信したり、電子メールに添付して送信したりすることができる。
【００１３】
図１に例示されるＭＦＰ１は、企業のオフィスに構築されたＬＡＮ（Local Area Network）３に接続され、複数のユーザーによって共用される。ＬＡＮ３には、複数のパーソナルコンピューター４Ａ，４Ｂ、ファイルサーバー５、メールサーバー６などの情報機器が接続されている。ＭＦＰ１は、ＬＡＮ３上の情報機器およびクラウドサーバー８を含むインターネット７上の情報機器との通信が可能である。また、ＭＦＰ１は、図示しない公衆電話回線を用いるファクシミリ通信を行なうことができる。
【００１４】
図２にように、ＭＦＰ１は、ＡＤＦ(Auto Document Feeder)１５およびイメージスキャナー１６を備えている。ＡＤＦ１５は、イメージ入力、ファクシミリ送信、またはコピーにおいて、原稿シートをイメージスキャナー１６の読取り位置へ搬送する。イメージスキャナー１６は原稿シートに記録されている画像を光学的に読み取る。読み取られた画像は、通信インタフェース１９を用いて外部機器へ送信されたり、ストレージ２１内のボックス（ＢＯＸ）２２に保存されたり、プリンターエンジン１７によって用紙に印刷されたりする。
【００１５】
なお、通信インタフェース１９は、公衆電話回線によるファクシミリ通信のためのモデム２０を含んでいる。ストレージ２１は例えばハードディスクドライブであり、プログラムやデータの保存およびデータ処理における一時的なデータ記憶に用いられる。ボックス２２は、ドキュメントの保存用に設けられるメモリ領域である。
【００１６】
ＭＦＰ１に対する直接の操作に用いられる操作パネル１２は、ディスプレイ１３およびタッチパネル１４を有している。ディスプレイ１３は例えば液晶パネルである。タッチパネル１４はディスプレイ１３の表示面上のタッチ操作を検出し、タッチ点の位置を示す信号を出力する。本例のタッチパネル１４は２点を同時にタッチするマルチタッチ操作を検出することができる。
【００１７】
ＭＦＰ１はメインコントローラー１１によって制御される。メインコントローラー１１は、各種のプログラムを実行するコンピューターとしてのＣＰＵ１００、制御プログラムを記憶するＲＯＭ（Read Only Memory）１２１、およびプログラム実行のワークエリアとされるＲＡＭ（Random Access Memory）１２２を有する。
【００１８】
このようなＭＦＰ１には、直接の操作またはる外部機器からの遠隔操作によってジョブが与えられる。ＭＦＰ１に与えられる各種のジョブの中に、画像を外部機器へ送信するジョブ（これを「送信ジョブ」という）がある。送信ジョブにおいて送信される画像は、イメージスキャナー１６によって原稿シートから読み取ったスキャン画像、またはストレージ２１から読み出されるドキュメントのページ画像である。スキャン画像はラスター画像である。ドキュメントのページ画像の態様はドキュメントのファイル形式に依存し、ラスター画像の場合もあればそうではない場合もある。
【００１９】
送信ジョブのうち、スキャン画像を送信するジョブは、送信先に応じて“スキャン・トゥー・エフティーピー（Scan to FTP）”、“スキャン・トゥー・イーメイル（Scan to E-mail）”、または“スキャン・トゥー・クラウド（Scan to Cloud）”と呼ばれる。スキャン・トゥー・エフティーピーでは、スキャン画像はＦＴＰ（File Transfer Protocol）を用いてファイルサーバー５へ転送される。スキャン・トゥー・イーメイルでは、スキャン画像は電子メールに添付してメールサーバー６へ転送される。スキャン・トゥー・クラウドでは、スキャン画像はクラウドサーバー８へ転送される。
【００２０】
外部機器への送信ではないが、スキャン画像をボックス２２へ格納するジョブが“スキャン・トゥー・ボックス（Scan to Box）”と呼ばれている。本実施形態では、スキャン・トゥー・ボックスにおいても送信ジョブと同様にボックス２２へ格納されるスキャン画像のプレビュー表示が行なわれる。以下の説明では、スキャン・トゥー・ボックスを送信ジョブの一種とみなし、スキャン・トゥー・ボックスにおけるボックス２２を送信先の一つにみなすものとする。
【００２１】
ＭＦＰ１は、送信ジョブにおいて画像をプレビュー表示することができるとともに、プレビュー表示した画像に対して複数の種類の編集・加工（画像処理）を行なうことができる。以下、この編集・加工を行なう機能について説明する。
【００２２】
図３はＭＦＰにおける画像の編集・加工に関わる要部の機能構成を示している。メインコントローラー１１は、操作入力部１０１、入力制御部１０２、画像編集部１０３、プレビュー表示部１０４、出力制御部１０５、記録部１０６、および自動編集指示部１０７を有している。これらの構成要素は、メインコントローラー１１のＣＰＵ１００が所定のコンピュータープログラムを実行することによって実現される機能要素である。
【００２３】
図３では操作パネル１２を用いる直接の操作が行なわれる場合を想定して構成要素どうしの関連が描かれている。ただし、上述のとおりＭＦＰ１に対して外部機器からのアクセスによってジョブが与えられる場合もある。
【００２４】
操作入力部１０１は、操作パネル１２に操作画面を表示させてユーザーによる操作を受け付ける。操作画面は操作の進行に応じて切り替えられる。操作を受け付けた操作入力部１０１は、ユーザーの指示をそれに応じるべき所定の機能要素に伝える。例えば、送信する画像の入力先を指定する操作が行なわれたとき、操作入力部１０１は、指定された入力先を入力制御部１０２に通知する。
【００２５】
入力制御部１０２は、指定された入力先からメインコントローラー１１への原画像Ｇ１０の入力を制御する。入力先がイメージスキャナー１６であれば、入力制御部１０２はイメージスキャナー１６による読み取り動作を制御し、スキャン画像を原画像Ｇ１０として画像編集部１０３へ入力させる。入力先がボックス２２であれば、入力制御部１０２は指定されたドキュメントのファイルをボックス２２から読み出して、ドキュメントのページ画像を原画像Ｇ１０として画像編集部１０３へ入力させる。
【００２６】
画像編集部１０３は、入力された原画像Ｇ１０に対して、ユーザーによる編集指示に応じて編集・加工を施す。画像編集部１０３は、後述のように枠囲み、マスキング、マーカー線の付与といった複数の種類の編集・加工を行なうことができる。画像編集部１０３によって編集・加工の行なわれた編集画像Ｇ２０は、プレビュー表示部１０４および出力制御部１０５に引き渡される。なお、原画像Ｇ１０が入力されてから編集指示操作が行なわれる以前の段階では、原画像Ｇ１０がそのまま編集画像Ｇ２０とされる。
【００２７】
プレビュー表示部１０４は、画像編集部１０３によって作成された編集画像Ｇ２０を、操作パネル１２のディスプレイ１３に表示させる。操作パネル１２のディスプレイ１３とは別にプレビュー用のディスプレイがＭＦＰ１に取り付けられている場合には、プレビュー表示部１０４は、プレビュー用のディスプレイに編集画像Ｇ２０を表示させる。
【００２８】
出力制御部１０５は、ユーザーによる出力指示を受けて、画像編集部１０３から引き渡された編集画像Ｇ２０をジョブに応じた出力先へ送る。すなわち、送信ジョブにおいて、出力制御部１０５は、通信インタフェース１９を制御して編集画像Ｇ２０を指定された外部機器へ送信する。スキャン・トゥー・ボックスにおいて、出力制御部１０５は編集画像Ｇ２０をボックス２２に格納する。
【００２９】
記録部１０６は、出力制御部１０５によって編集画像Ｇ２０が外部機器またはボックス２２へ送信されたときに、送信先と当該編集画像Ｇ２０の作成に際して行なわれた編集・加工の種類とを対応づけて記録する。記録には編集記録テーブルＴ１が用いられる。編集記録テーブルＴ１は、例えばストレージ２１において記憶される。外部のサーバーに記憶させることもできる。
【００３０】
本実施形態においては、編集・加工の種類と合わせて、原画像Ｇ１０のうちのユーザーによって編集・加工の対象に指定された領域を特徴づけるキーワードが記録される。記録すべきキーワードの抽出を可能にする機能要素として、画像編集部１０３は領域判別部１３１、見出し抽出部１３２、および文字認識部１３３を備えている。
【００３１】
自動編集指示部１０７は、記録部１０６によって記録された送信先への新たな送信が同じユーザーによって指示されたときに、今回の送信において指定された原画像Ｇ１０に対して、当該送信先に対応づけて記録されている種類の編集・加工を行なうように、画像編集部１０３に自動編集指示を与える。自動編集指示部１０７と画像編集部１０３との連携によって、以前と同じユーザーに指示された同じ送信先への送信に際して、以前に行なわれたのと同様の編集・加工が自動的に行なわれる。
【００３２】
自動的に行なわれた編集・加工の結果を示す編集画像（自動編集画像）はプレビュー表示部１０４によってプレビュー表示される。プレビュー表示が行なわれている状態においてユーザーが自動編集画像の送信を指示すると、出力制御部１０５が自動編集画像をＭＦＰ１に送信させる。
【００３３】
図４〜図７に送信ジョブに関わる操作画面の例が示される。操作画面は操作パネル１２によって表示される。
【００３４】
図４に示される送信先選択画面Ｑ１１では、予め登録された複数の送信先のそれぞれ対応する選択ボタン３９，４０，４１が表示される。図４の状態では、送信先をグループ分けした８個のグループのうちの第１のグループが選択されており、この第１のグループに属する三つの送信先が選択ボタン３９，４０，４１によって選択可能である。ユーザーが選択ボタン３９，４０，４１のいずれかにタッチして送信先を指定した後、ＯＫボタン（エンターキー）３３にタッチすると、送信先が確定する。
【００３５】
図５において、原稿入力先選択画面Ｑ１２は、二つの選択ボタン３１，３２を有している。スキャン画像を送信したい場合、ユーザーは選択ボタン３１にタッチする。ボックス２２内のドキュメントを送信したい場合、ユーザーは選択ボタン３２にタッチする。選択ボタン３１，３２のいずれかにタッチして入力先を指定した後、ＯＫボタン３３にタッチすると、入力先が確定する。
【００３６】
図６に示される原稿選択画面Ｑ１３は、入力先としてボックス２２が指定された場合に表示される。原稿選択画面Ｑ１３では、ボックス２２内で保存されているドキュメントにそれぞれ対応する選択ボタン３４，３５，３６，３７，３８が表示される。ユーザーは、選択ボタン３４，３５，３６，３７，３８のいずれかにタッチして送信対象を指定する。
【００３７】
図７に例示されるプレビュー画面Ｑ２０では、左半部にプレビュー表示領域５０が設けられている。プレビュー表示領域５０には、原画像Ｇ１０または編集画像Ｇ２０（自動編集画像を含む）が例えばページ単位で表示される。複数ページ分の画像を送信する場合、ユーザーはプレビュー表示させるページを切り替えることができる。複数のページを並べて表示するモードを指定することもできる。
【００３８】
プレビュー表示領域５０の右側に、編集・加工に関わる指定操作のための各種のボタンが配置されている。ボタン５１は、原画像の任意の領域を枠線で囲む“枠囲み”に対応し、ボタン５２は、任意の文字列にマーカー線を付す“マーカー”に対応する。ボタン５４は“マスキング”に対応し、ボタン５５は“トリミング”に対応する。マスキングおよびトリミングの対象領域として任意領域、文字領域および写真領域が選択可能であり、これら選択肢の択一選択のためのボタン５６，５７，５８がボタン５４，５５に隣接配置されている。ボタン５９，６０，６１，６２は、所定の文字列を追記する“スタンプ”の文字列の選択肢に対応する。そして、カラーパレット５３は、“枠囲み”、“マーカー”および“スタンプ”はおける色の指定に用いられる。
【００３９】
図８は“枠囲み”の例を示している。図８では複数ページのドキュメントを送信する場合が想定されている。複数のページのそれぞれに対して編集・加工を行なうことができるが、図では先頭のページに対して“枠囲み”を行なう場合が示されている。
【００４０】
図８の上半部に描かれた原画像Ｇ１１には、見出し７１，７２，７３の付された三つの部分から構成される画像情報が記載されている。図８の下半部に描かれた編集画像Ｇ２１のように、例示では「主な機能」という見出し７３の付された部分を例えば青色の枠線７５で囲む枠囲みが行なわれている。
【００４１】
枠線７５で囲む領域のサイズおよび位置をユーザーが指定する方法として、図９に示されるマルチタッチ操作による方法がある。ユーザーがプレビュー表示領域５０内の任意の２点に同時にタッチすると、タッチされた２点を対角の頂点とする四角形の枠線７５が表示される。その状態でユーザーが２点間の距離を拡げたり狭めたりするピンチアウト／ピンチイン操作をすると、枠線７５による囲み（四角形）のサイズが変わる。そして、枠線７５をドラッグするスライド操作によって、枠線７５で囲む領域の位置を変更することができる。所望の領域を囲んだ状態でタッチ面から指を離すと、枠線７５が確定する。
【００４２】
図１０は“文字マスキング”および“写真トリミング”の例を示している。図１０の上半部に描かれた原画像Ｇ１２は、一つの写真７６とテキストとから構成されている。“文字マスキング”は文字領域を対象とするマスキングであり、プレビュー画面Ｑ２０におけるボタン５４とボタン５７とによって指定される。一方、“写真トリミング”は写真領域を対象とするトリミングであり、ボタン５５とボタン５８とによって指定される。
【００４３】
図１０の下半部の左側に描かれた編集画像Ｇ２２ａでは“文字マスキング”が行なわれている。すなわち、原画像Ｇ１２のうちのテキストの部分に例えば黒色の網点パターンがマスクとして合成され、それによってテキストの文字が判読不能になっている。“文字マスキング”では、画像編集部１０３における領域判別部１３１によって、属性判別技術を用いて原画像Ｇ１２における文字領域と写真領域とが判別され、判別された文字領域に対してマスクが合成される。
【００４４】
図１０の下半部の右側に描かれた編集画像Ｇ２２ｂでは“写真トリミング”が行なわれている。すなわち、原画像Ｇ１２のうちの写真７６のみが残され他の部分の画像情報が消去されている。“写真トリミング”では、領域判別部１３１によって写真領域が抽出される。
【００４５】
図１１は“任意マスキング”および“スタンプ”の例を示している。図１１の上半部に描かれた原画像Ｇ１３は、見出し８１，８２，８３の付された三つの情報記載部分８４，８５，８６を有している。“任意マスキング”は、ユーザーが任意に指定した領域を対象とするマスキングであり、ボタン５５とボタン５６とによって指定される。
【００４６】
図１１の下半部に描かれた編集画像Ｇ２３では、「販売契約」という見出し８２の付された情報記載部分８５がマスキングされ、「販売価格」という見出し８３の付された情報記載部分８６に『社外秘』というスタンプ８７が合成されている。情報記載部分８５をマスキングの対象としてユーザーが指定する方法としては、マスキングしたい領域を上述の枠囲みの場合と同様に枠線で囲む方法がある。また、段落間の空白や見出しなどからテキストの各段落を判別する場合には、マスキングしたい段落にタッチする方法を用いることができる。スタンプ８７の配置位置をユーザーが指定する方法としては、ボタン５９をタッチすることでデフォルト位置に表示されるスタンプ８７を所望の位置へドラッグする方法、およびボタン５９のタッチに続いてプレビュー表示領域５０内の所望の位置にタッチする方法がある。
【００４７】
図１２は“マーカー”の例を示している。図示の原画像Ｇ１４は、「営業部 山○ △郎  様」という宛名を表わす文字列８８を有している。編集画像Ｇ２４では、文字列８８の背景を着色するように、文字列８８の全長にわたる例えば黄色のマーカー線８９が付加されている。文字列８８の文字色とマーカー線８９の色とが異なるので、文字列８８は判読可能である。
【００４８】
以上の図８および図１０〜図１２の例のような編集・加工の内容は、編集記録テーブルＴ１に送信先と対応づけて記録される。編集記録テーブルＴ１による記録に基づいて、以後の送信に際して編集・加工が自動的に行なわれる。編集記録テーブルＴ１のデータ構成が図１３に示される。
【００４９】
図１３のように、編集記録テーブルＴ１は、「送信元（ユーザー）」、「送信先」、「ユーザーによる編集の内容」、および「キーワード抽出」というフィールドを有している。「ユーザーによる編集の内容」は「種類」および「色」という二つのサブフィールドからなり、「キーワード抽出」は「属性」および「キーワード」という二つのサブフィールドからなる。
【００５０】
編集記録テーブルＴ１では、１種類の編集・加工が行なわれるごとにレコードが設けられる。したがって、一つの原画像に対して複数の種類の編集・加工が行なわれた場合には、送信先が同じ複数のレコードが記録されることになる。
【００５１】
「送信元（ユーザー）」には、ＭＦＰ１に送信ジョブを与えたユーザーの識別コードが記録される。ＭＦＰ１は、ユーザーの識別コードを当該ユーザーがＭＦＰ１にログインする際に取得する。
【００５２】
「キーワード抽出」には、原画像のうちの編集・加工の対象になった領域から抽出されたキーワードと当該キーワードの属性が記録される。本実施形態において記録されるキーワードの属性は、見出し抽出部１３２が判別する“見出し”またはユーザーによって指定されたことを意味する“指定文字列”である。
【００５３】
図示の編集記録テーブルＴ１における第１番目のレコードＲ１は、図８の例に対応する。このレコードＲ１の「ユーザーによる編集の内容」において、編集・加工の種類が“枠囲み”であり、その対象領域がユーザーによって指定された領域であり、枠線７５の色が青色であることが記録されている。対象領域の指定が文字や写真といった属性の指定ではない任意領域の指定である場合、対象領域内の見出しの有無が判別され、見出しがあれば、見出しの文字列がキーワードとして記録される。レコードＲ１の「キーワード抽出」において、キーワードとして見出し７３の文字列である『主な機能』が記録され、属性として見出しが記録されている。なお、原画像を表わす画像データがラスター形式である場合には、文字認識部１３３によってキーワードを表わす文字コードが取得される。
【００５４】
第２番目のレコードＲ２は、図１０の例における写真トリミングに対応する。このレコードＲ２において、“トリミング”が行なわれ、その対象領域が写真領域であることが記録されている。対象領域の指定が属性指定であるので、キーワードは抽出されていない。
【００５５】
第３番目のレコードＲ３および第４番目のレコードＲ４は、図１１の例に対応する。レコードＲ３において、“マスキング”が行なわれたこと、対象領域がユーザーによって指定された領域であること、抽出したキーワードが『販売契約』であることなどが記録されている。また、レコードＲ４において、“スタンプ”が行なわれたこと、スタンプ文字が『社外秘』で色が赤色であること、抽出したキーワードが『販売価格』であることなどが記録されている。
【００５６】
第５番目のレコードＲ５は、図１２の例に対応する。レコードＲ５において、“マーカー”が行なわれたこと、マーカー色が黄色であること、マーカー線８９の付加された文字列８８であるキーワードが『営業部 山○ △郎  様』であることなどが記憶されている。
【００５７】
図１４は自動編集・加工の第１例を示している。
【００５８】
図１４の原画像Ｇ１５は、見出し９１の付された情報記載部分９３および見出し９２の付された情報記載部分９４を有している。見出し９１の文字列（『主な機能』）は、図８の原画像Ｇ１１の見出し７３の文字列と同じであり、編集記録テーブルＴ１のレコードＲ１にキーワードとして記憶されている。また、見出し９２の文字列（『販売契約』）は、図１１の原画像Ｇ１３の見出し８３の文字列と同じであり、編集記録テーブルＴ１のレコードＲ３にキーワードとして記憶されている。言い換えれば、原画像Ｇ１５は、過去に行なわれた２種の編集・加工に対応づけられている二つのキーワードを含んでいる。
【００５９】
このような原画像Ｇ１５に対して、三つの自動編集画像Ｇ２５ａ，Ｇ２５ｂ，Ｇ２５ｃが作成される。第１の自動編集画像Ｇ２５ａでは、レコードＲ１のキーワードと同じ文字列をもつ情報記載部分９３に対してレコードＲ１の記録と同じ“枠囲み”が行なわれ、かつレコードＲ３のキーワードと同じ文字列をもつ情報記載部分９４に対してレコードＲ３の記録と同じ“マスキング”が行なわれている。第２の自動編集画像Ｇ２５ｂでは、情報記載部分９３に対する“枠囲み”のみが行なわれ、第３の自動編集画像Ｇ２５ｃでは、情報記載部分９４に対する“マスキング”のみが行なわれている。
【００６０】
つまり、原画像Ｇ１５に当てはまる過去に行なわれた２種の編集・加工の両方を施した第１の自動編集画像Ｇ２５ａと、片方の編集・加工の両方を施した第２の自動編集画像Ｇ２５ｂと、他の片方の編集・加工の両方を施した第３の自動編集画像Ｇ２５ｂとが作成される。言い換えれば、原画像Ｇ１５に対して過去の編集記録に基づいて選ばれた複数の編集・加工のうちの少なくとも一つを施すという条件を満たすように、自動編集・加工が行なわれる。
【００６１】
三つの自動編集画像Ｇ２５ａ，Ｇ２５ｂ，Ｇ２５ｃは、送信する画像の候補１〜３としてプレビュー表示される。ひとつずつプレビュー表示する表示モードが設定されている場合、ユーザーはフリック操作または所定のボタン操作によって表示を切り替える。ユーザーが所定の送信開始操作（例えば操作パネル１２上のスタートキーの押下）をすると、自動編集画像Ｇ２５ａ，Ｇ２５ｂ，Ｇ２５ｃのうちの選択されたひとつが送信される。ユーザーは、送信開始操作の前に編集指示操作をして自動編集画像Ｇ２５ａ，Ｇ２５ｂ，Ｇ２５ｃにさらに他の編集・加工を施すことができる。自動編集画像Ｇ２５ａ，Ｇ２５ｂ，Ｇ２５ｃのうちの複数を送信の対象として選択可能にするようにしてもよい。
【００６２】
図１５は自動編集・加工の第２例を示している。
【００６３】
図１５の原画像Ｇ１６は、文字列９５および写真９６を有している。文字列９５（『営業部 山○ △郎  様』）は文字コードの比較の上で図１２の原画像Ｇ１４の文字列８８と同じであり、編集記録テーブルＴ１のレコードＲ５にキーワードとして記憶されている。なお、文字列９５と文字列８８との間で、フォント、文字サイズ、位置は異なっていてもよい。
【００６４】
この原画像Ｇ１６に対して、三つの自動編集画像Ｇ２６ａ，Ｇ２６ｂ，Ｇ２６ｃが作成される。第１の自動編集画像Ｇ２６ａでは、レコードＲ５の記録と同じ“マーカー”が行なわれ、文字列９５にマーカー線９７が付加されている。第２の自動編集画像Ｇ２６ｂでは、レコードＲ２の記録と同じ“写真トリミング”が行なわれ、写真９６を残して他の画像情報が消去されている。第３の自動編集画像Ｇ２６ｃでは、文字列９５および写真９６を残して他の画像情報が消去するトリミングが行なわれ、文字列９５にマーカー線９７を付加する“マーカー”が行なわれている。
【００６５】
次にフローチャートを参照してＭＦＰ１の動作を説明する。
【００６６】
図１６は画像送信処理のフローチャートである。メインコントローラー１１の操作入力部１０１が指定操作の受付ルーチンを実行する（Ｓ０１）。詳しくは図１７のとおり、まず、送信先選択画面Ｑ１１（図４参照）を表示させてユーザーによる送信先の指定操作を受け付け（Ｓ２１）、次に原稿入力先選択画面Ｑ１２を表示させて入力先の指定操作を受け付ける（Ｓ２２）。そして、指定された入力先がボックス２２である場合、操作入力部１０１は、原稿選択画面Ｑ１３（図６参照）を表示させて、ユーザーによるドキュメントの指定操作を受け付ける（Ｓ２３、Ｓ２４）。
【００６７】
図１６に戻って、入力制御部１０２が指定された入力先から原画像Ｇ１０を取り込んで画像編集部１０３に入力する（Ｓ０２）。入力先がイメージスキャナー１４である場合の原画像Ｇ１０はスキャン画像であり、入力先がボックス２２である場合の原画像Ｇ１０はドキュメントのページ画像である。
【００６８】
画像編集部１０３に入力された原画像Ｇ１０を、プレビュー表示部１０４が操作入力部１０１と連携してディスプレイ１３にプレビュー表示させる（Ｓ０３）。プレビュー表示はプレビュー画面Ｑ２０において行なわれる。
【００６９】
原画像Ｇ１０のプレビュー表示と並行して、自動編集指示部１０７が編集記録テーブルＴ１にアクセスして編集記録を検索する（Ｓ０４）。検索対象のレコードは、現在のユーザーに対応するレコードである。ステップＳ０１で指定された今回の送信の送信先と同じ送信先を格納したレコードがなければ、注目すべき編集記録はない（Ｓ０５でＮＯ）。この場合、メインコントローラー１１はステップＳ１２へ進み、ユーザーによる編集指示操作に従って原画像Ｇ１０に対する編集・加工を行なう。
【００７０】
今回の送信先と同じ送信先が記録されている場合（Ｓ０５でＹＥＳ）、自動編集指示部１０７は、該当するレコードのデータを編集記録テーブルＴ１から読み出す（Ｓ０６）。例えば図１３の編集記録テーブルＴ１において、現在のユーザーがユーザーＡであり送信先が送信先１である場合には、レコードＲ１〜Ｒ５が読み出される。自動編集指示部１０７は読み出したレコードのうち「属性」および「キーワード」を含む所定フィールドのデータを画像編集部１０３に与える。
【００７１】
画像編集部１０３は、見出し抽出、文字写真抽出および文字列抽出の各ルーチンを実行する（Ｓ０７、Ｓ０８、Ｓ０９）。これによって得られる情報（位置範囲）が、次のステップＳ１０の自動編集・加工ルーチンにおける自動編集画像の作成に用いられる。
【００７２】
その後、作成された自動編集画像のプレビュー表示（Ｓ１１）、および編集・加工ルーチン（Ｓ１２）が実行される。編集・加工ルーチンでは、自動編集画像または原画像に対して、ユーザーの指示に従って編集・加工が施される。ユーザーが編集・加工を指示する操作をしなければ、プレビュー表示された時点の自動編集画像（または原画像）が送信の対象画像となる。
【００７３】
送信開始を指示する操作が行なわれると（Ｓ１３でＹＥＳ）、出力制御部１０６がその時点の対象画像の送信のための制御を行なう（Ｓ１４）。対象画像は、プレビュー表示されてユーザーに選択された自動編集画像、原画像、またはユーザーの指示に従って作成された編集画像である。
【００７４】
画像が送信されると、記録部１０６が、送信した画像に関わる編集・加工の内容と送信先とを対応づけるレコードを編集記録テーブルＴ１に追加する（Ｓ１５）。プレビュー表示された自動編集画像がそのまま送信された場合には、既存のレコードと重複することになるので、レコードは追加されない。自動編集画像に対してユーザーの指示に従ってさらに編集・加工が追加実施された場合には、追加実施された編集・加工の内容を記録するレコードが追加される。
【００７５】
図１８は見出し抽出ルーチンのフローチャートである。画像編集部１０３の見出し抽出部１３２は、自動編集指示部１０７から編集記録として伝えられた編集記録テーブルＴ１のデータのうち、「属性」のデータに注目する。そして、「属性」のデータに『見出し』があった場合（Ｓ７１でＹＥＳ）、見出し抽出部１３２は原画像Ｇ１０から所定の抽出条件を満たす見出し文字列を抽出する（Ｓ７２）。
【００７６】
続いて、見出し抽出部１３２は、抽出した見出し文字列が編集記録のうちの属性が『見出し』であるキーワードと一致するかどうかをチェックする（Ｓ７３）。抽出した見出し文字列の中にキーワードと一致するものがあれば（Ｓ７３でＹＥＳ）、見出し抽出部１３２は、原画像Ｇ１０のうちのキーワードと一致した見出し文字列を有した情報記載部分の位置範囲と当該キーワードに対応するレコードの番号とを自動編集指示部１０７に通知する（Ｓ７４）。
【００７７】
図１９は文字写真抽出ルーチンのフローチャートである。画像編集部１０３の領域判別部１３１は、自動編集指示部１０７から伝えられた編集記録のうち、「種類」のデータに注目する。そして、「種類」のデータが示す対象領域が『写真領域』または『文字領域』であった場合に（Ｓ８１でＹＥＳ）、領域判別部１３１は、原画像Ｇ１０から写真領域または文字領域を抽出する（Ｓ８２）。このとき、編集記録テーブルＴ１における『写真領域』をデータとしてもつレコードと『文字領域』をデータとしてもつレコードとを含む複数のレコードが編集記録として伝えられていた場合には、写真領域および文字領域の両方を抽出する。
【００７８】
原画像Ｇ１０が抽出すべき領域（写真領域／文字領域）を有していた場合、すなわち写真領域／文字領域を抽出することができた場合（Ｓ８３でＹＥＳ）、領域判別部１３１は、抽出した写真領域／文字領域の原画像Ｇ１０における位置範囲および対応するレコードの番号を自動編集指示部１０７に通知する（Ｓ８４）。
【００７９】
図２０は文字列抽出ルーチンのフローチャートである。画像編集部１０３の文字認識部１３３は、自動編集指示部１０７から伝えられた編集記録のうち、「属性」のデータに注目する。そして、「属性」のデータに『指定文字列』があった場合に（Ｓ９１でＹＥＳ）、文字認識部１３３は原画像Ｇ１０内の文字像を文字コード化するＯＣＲ走査を行なう（Ｓ９２）。
【００８０】
続いて、文字認識部１３３は、ＯＣＲ走査によって認識した原画像Ｇ１０内の文字群の中に、編集記録のうちの属性が『指定文字列』であるキーワードと一致する文字列の有無をチェックする（Ｓ９３）。原画像Ｇ１０の中にキーワードと一致する文字列があれば（Ｓ９３でＹＥＳ）、文字認識部１３３は、キーワードと一致した文字列の原画像Ｇ１０における位置範囲と当該キーワードに対応するレコードの番号とを自動編集指示部１０７に通知する（Ｓ９４）。
【００８１】
図２１は自動編集・加工ルーチンのフローチャートである。自動編集指示部１０７は、見出し抽出部１３２と領域判別部１３１と文字認識部１３３とからそれぞれ通知された位置範囲を、原画像Ｇ１０における自動編集・加工の対象領域として定める（Ｓ１０１）。
【００８２】
続いて、自動編集指示部１０７は、通知された番号のレコードに記録されている編集・加工の種類を調べ、当該種類の数を求める。一つのレコードに複数の対象領域が対応する場合があるので（例えば原画像が二つの写真を有する）、必ずしも対象領域の総数と編集・加工の種類の数とが一致するとは限らない。自動編集指示部１０７は、求めた種類の数に応じて、実施する自動編集・加工の種類を決める（Ｓ１０２）。
【００８３】
求めた種類の数が１であれば、自動編集指示部１０７は、通知された番号のレコードの種類をそのまま実施する自動編集・加工の種類に決める。この場合、作成される自動編集画像は一つとなる。求めた種類の数が複数である場合には、自動編集指示部１０７は、複数通りの自動編集画像のそれぞれに対応する種類の組合せを、複数の種類のうちの少なくとも一つを選択するやり方で決める。組合せの数Ｎは、求めた種類の数をｎとして次の式で表わされる。
【００８４】
Ｎ＝nＣn＋nＣ(n-1)＋  …＋nＣ2＋nＣ1＝２n−１
【００８５】
例えば、求めた種類の数ｎが２である場合（図１４、１５の例が当てはまる）、３通りの組合せを決める。求めた種類の数ｎが３である場合には、７通りの組合せを決める。ただし、必ずしもＮ通りの組合せの全てを決める必要はなく、Ｎ通りのうちの一部を抜粋して決めてもよい。例えば、ｎ個からｎ個を選ぶというように選ぶ個数の多い順、逆に選ぶ個数の少ない順、またはランダムにＭ（Ｍ＜Ｎ）通りを抜粋することができる。任意の抜粋規則を予め適宜設定しておくことができる。
【００８６】
その後、自動編集指示部１０７が単一または複数の自動編集画像の作成を画像編集部１０３に指示する。その際、原画像Ｇ１０内の対象領域を指定するとともに、編集記録テーブルＴ１から読み出した該当対象領域に対応するレコードが示す「種類」および「色」の各サブフィールドのデータを画像編集部１０３に与える。指示を受けて、画像編集部１０３は、以前の編集・加工と同じ種類および色の編集・加工を指定された対象領域に対して実施する（Ｓ１０３）。それによって作成された自動編集画像は、上述のとおり画像送信処理のステップＳ１１（図１６参照）においてプレビュー表示される。
【００８７】
図２２は編集・加工ルーチンのフローチャートである。
【００８８】
操作入力部１０１は、プレビュー画面Ｑ２０における編集指示操作を受け付ける（Ｓ１２１）。プレビュー表示領域５０内の１点または２点をタッチする領域指定入力があった場合（Ｓ１２２でＹＥＳ）、画像編集部１０３は指定された領域を記憶する（Ｓ１２３）。指定された領域について、文字認識部１３３がＯＣＲ走査を行なって文字を認識する（Ｓ１２４）。
【００８９】
指定された領域が文字領域である場合（Ｓ１２５でＹＥＳ）、ユーザーの指定した編集・加工の種類を画像編集部１０３がチェックする（Ｓ１２６）。編集・加工の種類が“枠囲み”であれば、指定された領域内の見出し文字列を見出し抽出部１３２が抽出し（Ｓ１２７）、抽出された見出し文字列をキーワードとして画像編集部１０３が記憶する（Ｓ１２８）。編集・加工の種類が“マーカー”であれば、指定された領域の文字列の全体（または先頭から設定文字数番目の文字までの部分）を、画像編集部１０３がキーワードとして記憶する（Ｓ１２８）。記憶されたキーワードは適時に記録部１０６に取り込まれ、画像が送信されたときに編集記録テーブルＴ１に書き込まれる。
【００９０】
一方、上述のステップＳ１２２のチェック結果がＮＯであった場合、画像編集部１０３は、ユーザーの指定した編集・加工の種類が“マスキング”または“トリミング”であるかどうかをチェックする（Ｓ１３１）。指定された種類が“マスキング”または“トリミング”であれば（Ｓ１３１でＹＥＳ）、領域判別部１３１が編集・加工の対象領域を抽出する（Ｓ１３２）。ユーザーによって指定された領域属性が「写真」であれば写真領域を抽出し、指定された領域属性が「文字」であれば文字領域を抽出する。
【００９１】
抽出した対象領域が文字領域である場合（Ｓ１３３でＹＥＳ）、文字認識部１３３が対象領域についてＯＣＲ走査を行ない（Ｓ１３４）、見出し抽出部１３２が対象領域内の見出し文字列を抽出する（Ｓ１３５）。そして、抽出された見出し文字列をキーワードとして画像編集部１０３が記憶する（Ｓ１３６）。キーワードは上述の場合と同様に編集記録テーブルＴ１における編集記録に反映される。
【００９２】
ステップＳ１２１で受け付けた操作に従って、ステップＳ１２９において原画像に編集・加工を施した編集画像を作成し、または編集画像にさらに編集・加工を施す。ユーザーが編集指示作業の終了を示す所定の操作を行なうまで（Ｓ１３９でＹＥＳ）、ステップＳ１２１からステップＳ１２９までの処理が繰り返される。
【００９３】
以上の実施形態によれば、原画像のうちの編集・加工の対象とされた領域からキーワードを抽出して記録するので、全く同じ原画像だけでなく、以前とはレイアウトが異なる原画像についても、自動的に編集・加工を施すことができ、ＭＦＰ１の利便性を高めることができる。
【００９４】
また、ユーザー別に各ユーザーが指定した編集・加工の内容が記録されるので、ＭＦＰ１を共用する複数のユーザーのそれぞれが、手間を掛けずに自己が望む編集・加工を施した画像の送信することができる。
【００９５】
プレビュー画面Ｑ２０に編集・加工に関わる操作用のボタンが表示されるので、編集指示作業をするユーザーの操作性が向上する。
【００９６】
上述の実施形態において、以前に行なわれた編集・加工の対象領域と同じかまたは類似する領域を有した原画像に対して以前と異なる編集・加工が行なわれた場合に、編集記録テーブルＴ１にレコードを追加してもよいし、先の編集・加工に対応するレコードを後の編集・加工に対応するレコードに置き換えてもよい。例えば“写真トリミング”をした編集画像の送信と、“写真マスキング”をした編集画像の送信とが行なわれた場合に、これらの編集をそれぞれ示す二つのレコードを記録しておく。この場合、以後の送信に際し、写真を有した原画像に対して写真トリミングをした自動編集画像および写真マスキングをした自動編集画像の両方を送信画像の候補として作成し、それらをプレビュー表示すればよい。また、宛名Ａに“黄色マーカー”をした編集画像が送信され、後日に同じ宛名Ａに“水色マーカー”をした編集画像が送信された場合に、“黄色マーカー”のレコードを削除して“水色マーカー”のレコードを記録しておく。この場合、以後における宛名Ａを有した原画像に対して、“水色マーカー”をした自動編集画像を作成することになる。
【００９７】
頻繁に行なわれる編集・加工を優先的に編集記録テーブルＴ１に記録したり、設定期間にわたって行なわれていない編集・加工に対応するレコードを抹消したりするようにしてもよい。
【００９８】
編集・加工の種類の優先順位を定めておき、自動編集・加工の種類の組合せを決める際に、優先順位の上位から設定数個の種類を選ぶようにすることができる。
【００９９】
原画像Ｇ１０の入力先を示す情報を送信先と対応づけて記録し、ユーザーと入力先と送信先とが過去の送信と一致する送信において自動編集画像を作成するようにしてもよい。ユーザーを区別せずに、入力先と送信先とが過去の送信と一致する送信において自動編集画像を作成するようにしてもよい。
【０１００】
操作パネル１２のディスプレイ１３とは別にプレビュー用のディスプレイを設けてもよい。タッチパネルによるタッチ操作に限らず、マウスやトラックボールといったポインティングデバイスによる操作によって編集・加工の対象として任意の領域を指定するようにしてもよい。外部のパーソナルコンピューターに付随するディスプレイにＭＦＰ１の操作パネルを表示させて、編集・加工を遠隔操作で行なうことも可能である。
【０１０１】
原画像Ｇ１０を用紙に印刷する画像出力において、プレビュー表示した原画像Ｇ１０に対してユーザーの指示し従って行なった編集・加工の内容を記録し、以降における原画像Ｇ１０と同じか類似する内容の画像の印刷時に、記録に基づいて自動編集・加工を施して印刷をするようにしてもよい。
【符号の説明】
【０１０２】
１    ＭＦＰ（情報機器）
１０１    操作入力部
１０３    画像編集部
１０４    プレビュー表示部（表示部）
１０５    出力制御部
１０６    記録部
１０７    自動編集指示部
Ｇ１０，Ｇ１１，Ｇ１２，Ｇ１３，Ｇ１４，Ｇ１５，Ｇ１６    原画像
Ｇ２０，Ｇ２１，Ｇ２２ａ，Ｇ２２ｂ，Ｇ２３、Ｇ２４    編集画像
Ｇ２５ａ，Ｇ２５ｂ，Ｇ２５ｃ，Ｇ２６ａ，Ｇ２６ｂ，Ｇ２６ｃ    自動編集画像
Ｔ１    編集記録テーブル
【図１５】
2015026944.tif 000003
【図１】
2015026944.tif 000004
【図２】
2015026944.tif 000005
【図３】
2015026944.tif 000006
【図４】
2015026944.tif 000007
【図５】
2015026944.tif 000008
【図６】
2015026944.tif 000009
【図７】
2015026944.tif 000010
【図８】
2015026944.tif 000011
【図９】
2015026944.tif 000012
【図１０】
2015026944.tif 000013
【図１１】
2015026944.tif 000014
【図１２】
2015026944.tif 000015
【図１３】
2015026944.tif 000016
【図１４】
2015026944.tif 000017
【図１６】
2015026944.tif 000018
【図１７】
2015026944.tif 000019
【図１８】
2015026944.tif 000020
【図１９】
2015026944.tif 000021
【図２０】
2015026944.tif 000022
【図２１】
2015026944.tif 000023
【図２２】
2015026944.tif 000024